(57)【要約】【課題】携帯電話機等の携帯型機器の小さな端子カバーをいつでも簡単に開操作できる手段を得る。【解決手段】一端２４ａ側が機器本体に保持され、他端２４ｂ側から引き起こして開かれる端子カバー２４を有する携帯型機器２０に取り付けられる携帯ストラップ１４用のアクセサリにおいて、薄い板状部材からなり、前記端子カバー２４の他端２４ｂに掛けられて該他端２４ｂの引き起こしに用いられ得る爪状部分１１ａを設ける。【選択図】図１
0003161639.tif 000002
【実用新案登録請求の範囲】
【請求項１】
一端側が機器本体に保持され、他端側から引き起こして開かれる端子カバーを有する携帯型機器に取り付けられる携帯ストラップ用のアクセサリであって、
薄い板状部材からなり、前記端子カバーの他端に掛けられて該他端の引き起こしに用いられ得る爪状部分を備えたことを特徴とする携帯ストラップ用アクセサリ。
【請求項２】
前記爪状部分が、前記他端の引き起こし以外の機能を持つ他のアクセサリと一体化されていることを特徴とする請求項１記載の携帯ストラップ用アクセサリ。
【請求項３】
前記他のアクセサリが、携帯型機器の表示画面を清掃するためのクリーナであることを特徴とする請求項２記載の携帯ストラップ用アクセサリ。
【請求項４】
前記他のアクセサリがルーペであることを特徴とする請求項２記載の携帯ストラップ用アクセサリ。
【請求項５】
前記他のアクセサリが、シート状媒体に記録された画像を収納する画像ホルダーであることを特徴とする請求項２記載の携帯ストラップ用アクセサリ。
【請求項６】
前記他のアクセサリが鏡であることを特徴とする請求項２記載の携帯ストラップ用アクセサリ。
【請求項７】
前記他のアクセサリが照明器具であることを特徴とする請求項２記載の携帯ストラップ用アクセサリ。
【請求項８】
前記他のアクセサリが装飾品であることを特徴とする請求項２記載の携帯ストラップ用アクセサリ。
【請求項９】
前記他のアクセサリがフォンフックであることを特徴とする請求項２記載の携帯ストラップ用アクセサリ。
【請求項１０】
前記他のアクセサリが、携帯型機器の付属電池を充電するための携帯充電器であることを特徴とする請求項２記載の携帯ストラップ用アクセサリ。
【請求項１１】
前記他のアクセサリがＵＳＢメモリーであることを特徴とする請求項２記載の携帯ストラップ用アクセサリ。
【請求項１２】
前記他のアクセサリが、カード型の電磁記録媒体を収納するケースであることを特徴とする請求項２記載の携帯ストラップ用アクセサリ。
【請求項１３】
前記他のアクセサリが、携帯型機器の落下防止クリップであることを特徴とする請求項２記載の携帯ストラップ用アクセサリ。
【請求項１４】
前記他のアクセサリが、フレグランス収容容器であることを特徴とする請求項２記載の携帯ストラップ用アクセサリ。
【請求項１５】
前記他のアクセサリが、携帯型機器用のステレオ変換アダプタであることを特徴とする請求項２記載の携帯ストラップ用アクセサリ。
【請求項１６】
前記板状部材が蓄光素材からなるものであることを特徴とする請求項１から１５いずれか１項記載の携帯ストラップ用アクセサリ。
【請求項１７】
前記板状部材が紫外線チェック素材からなるものであることを特徴とする請求項１から１５いずれか１項記載の携帯ストラップ用アクセサリ。
【請求項１８】
前記爪状部分が、先端部が折り曲げられた形状とされていることを特徴とする請求項１から１７いずれか１項記載の携帯ストラップ用アクセサリ。
【請求項１９】
前記爪状部分の一部に、前記端子カバーの他端と機器本体との間の間隙への、該爪状部分の進入を規制するストッパが形成されていることを特徴とする請求項１から１８いずれか１項記載の携帯ストラップ用アクセサリ。
【考案の詳細な説明】
【技術分野】
【０００１】
本考案は携帯ストラップ用アクセサリ、すなわち携帯電話機、ＰＨＳ電話機、携帯型情報端末機器、携帯型音響機器等の携帯型機器に取り付けられるストラップに付帯されるアクセサリに関するものである。
【背景技術】
【０００２】
携帯電話機、ＰＨＳ電話機、携帯型情報端末機器、携帯型音響機器等の携帯型機器の中で、充電池で駆動されるタイプのものには、機器側面等に充電用端子が設けられることが多い。またその種の機器においては、外部と情報をやりとりするための通信手段が設けられることがあるが、そうする場合もやはり、機器側面等に有線通信用の端子が設けられることが多い。さらに、音声をイヤホンで聴取できるようにした携帯型機器においては、側面等にイヤホン端子が設けられる。
【０００３】
上述した各種の端子は、多くの場合端子カバーによって覆われ、使用時だけそのカバーを開いて端子が露出されるようになっている。ここで図２４および図２５に、代表的な端子カバーの例を示す。図中、１が携帯型機器の一例としての携帯電話機であり、２、３がそれぞれ端子カバーである。一般にこれらの端子カバー２、３は、一端側（図中の下端側）が例えばヒンジ機構を介して携帯電話機本体側に保持される一方、他端（図中の上端）に小さな切り込み２ａ、３ａが形成された構造を有する。そして図２４の例に示すように、例えば充電用端子６を露出させる際には、切り込み２ａの部分に手の指４の爪５を掛けて引くことにより、図中一点鎖線で軌跡を示すように端子カバー２が開かれる。その点は、図２５に示す例でも同じである。
【０００４】
他方、例えば特許文献１に示されているように、携帯電話機等の携帯型機器には持ちやすくするためのストラップが取り付けられ、そしてそのようなストラップには各種アクセサリが付帯されることも多い。
【先行技術文献】
【特許文献】
【０００５】
【特許文献１】特開２００５−０００５２０号公報
【考案の概要】
【考案が解決しようとする課題】
【０００６】
ところで、上記の端子カバーは一般にかなり小さく形成されるが、小型の端子カバーは、その端部や、そこに設けられる切り込み２ａ、３ａも当然小さくなることから、指の爪で掛けて開操作をするのが難しくなっている。その傾向は、爪が厚くて大きい人や、爪を切り過ぎたような人において顕著となる。また近時、特に女性においては、爪に装飾を施すいわゆる「ネイルアート」のために、指の爪に人工の爪を接着することが行われているが、その種のいわゆる「付け爪」をした人にとっても、端子カバーの開操作が難しいものとなっている。
【０００７】
この端子カバーの開操作をし易くするためには、小さくて薄い板状の操作片を用意しておき、それを前述した切り込み２ａ、３ａに掛けて端子カバーを引き起こす、ということが考えられる。しかし、そのような小さな操作片は携行するのを忘れることも多いので、例えば外出先で携帯電話機を充電する必要が生じたときその操作片が手許に無くて、端子カバーの開操作に苦労する、といった事態も当然起こり得る。
【０００８】
本考案は上記の事情に鑑みてなされたものであり、携帯型機器の小さな端子カバーをいつでも簡単に開操作できる手段を提供することを目的とする。
【課題を解決するための手段】
【０００９】
本考案は上記課題を解決するために、携帯ストラップ用アクセサリを提供するものである。すなわち、本考案による携帯ストラップ用アクセサリは、
一端側が機器本体に保持され、他端側から引き起こして開かれる端子カバーを有する携帯型機器に取り付けられる携帯ストラップ用のアクセサリであって、
薄い板状部材からなり、前記端子カバーの他端に掛けられて該他端の引き起こしに用いられ得る爪状部分を備えたことを特徴とするものである。
【００１０】
なお上記の「携帯ストラップ」は、本考案のアクセサリを携帯型機器に取り付ける上で機能するあらゆるベルト状、ひも状、ロープ状等の部材を指すものである。そしてそれらの携帯ストラップは、携帯型機器に直接取り付けられるものであってもよいし、あるいは携帯型機器に取り付けられているその他のストラップに結合されて、間接的に携帯型機器に取り付けられるものであってもよい。
【００１１】
また、本考案の携帯ストラップ用アクセサリにおける上記爪状部分は、端子カバーの引き起こし以外の機能を持つ他のアクセサリと一体化されていることが特に望ましい。
【００１２】
そのような他のアクセサリとしては、例えば携帯型機器の表示画面を清掃するためのクリーナ、ルーペ、シート状媒体に記録された画像を収納する画像ホルダー、鏡、照明器具、装飾品、フォンフック、携帯型機器の付属電池を充電するための携帯充電器、ＵＳＢメモリー、カード型の電磁記録媒体を収納するケース、携帯型機器の落下防止クリップ、フレグランス収容容器、携帯型機器用のステレオ変換アダプタ等が挙げられる。それらのアクセサリは、本考案の携帯ストラップ用アクセサリと一体化する上で、１つだけ用いられてもよいし、あるいは複数が一体化されて用いられてもよい。
【００１３】
一方、前記爪状部分が形成される板状部材は、蓄光素材や、あるいは紫外線チェック素材から形成されることが望ましい。
【００１４】
また上記爪状部分は、先端部が折り曲げられた形状とされていることが望ましい。
【００１５】
さらに上記爪状部分の一部には、端子カバーの前記他端と機器本体との間の間隙への、該爪状部分の進入を規制するストッパが形成されていることが望ましい。
【考案の効果】
【００１６】
本考案の携帯ストラップ用アクセサリは、薄い板状部材からなり、携帯型機器の端子カバーの前記他端に掛けられて該他端の引き起こしに用いられ得る爪状部分を備えているので、このアクセサリを用いることにより、端子カバーを簡単に開操作可能となる。つまり、前述の付け爪をしているような人や、爪を切り過ぎたような人でも、この携帯ストラップの爪状部分を爪代わりにして、簡単に端子カバーを開操作できるようになる。
【００１７】
またこのアクセサリは、ストラップを介して常時携帯型機器と一緒にしておけるから、どこかに置き忘れられるようなことがなく、したがって、いつでも該アクセサリを用いて簡単に端子カバーを開操作可能となる。
【００１８】
なお本考案の携帯ストラップ用アクセサリにおいて特に、上記爪状部分が、端子カバーの他端の引き起こし以外の機能を持つ他のアクセサリと一体化されているものは、その「他のアクセサリ」の本来の構造を僅かに変えるだけで簡単に形成可能である。したがって、そのような構成の携帯ストラップ用アクセサリは、多機能を備えた便利なものとなる一方、多機能の割には比較的安いコストで作製可能となる。
【００１９】
また、本考案の携帯ストラップ用アクセサリにおいて特に、上記爪状部分が形成される板状部材が、蓄光素材や、あるいは紫外線チェック素材から形成されている場合は、該アクセサリのみで多機能を備えたものとなり得る。すなわち、板状部材が蓄光素材からなるアクセサリは、端子カバーを開操作する手段として機能する他に、暗い場所では燐光を発して自身の存在を知らせる効果を発揮するものとなる。他方、板状部材が紫外線チェック素材から形成されたアクセサリは、端子カバーを開操作する手段として機能する他に、紫外線強度を簡易的に検査する機能も備えたものとなる。
【００２０】
他方、本考案の携帯ストラップ用アクセサリにおいて特に、上記爪状部分の先端部が折り曲げられた形状とされている場合は、該先端部を端子カバーの前記他端と機器本体との間の間隙に挿入し易くなるので、良好な操作性が得られるものとなる。
【００２１】
また、本考案の携帯ストラップ用アクセサリにおいて特に、爪状部分の一部に、端子カバーの前記他端と機器本体との間の間隙への、該爪状部分の進入を規制するストッパが形成されている場合は、上記間隙に爪状部分を深く差し込み過ぎることが防止される。したがってこのアクセサリによれば、そのように爪状部分を深く差し込み過ぎて、端子カバーの開操作がし難くなることを防ぐことができる。
【図面の簡単な説明】
【００２２】
【図１】本考案の一実施形態による携帯ストラップ用アクセサリを示す斜視図
【図２】図１の携帯ストラップ用アクセサリの別の使用形態を示す斜視図
【図３】本考案の別の実施形態による携帯ストラップ用アクセサリを示す斜視図
【図４】本考案のさらに別の実施形態による携帯ストラップ用アクセサリを示す斜視図
【図５】本考案のさらに別の実施形態による携帯ストラップ用アクセサリの表面形状を示す斜視図
【図６】図５の携帯ストラップ用アクセサリの裏面形状を示す斜視図
【図７】本考案のさらに別の実施形態による携帯ストラップ用アクセサリを示す斜視図
【図８】本考案のさらに別の実施形態による携帯ストラップ用アクセサリを示す斜視図
【図９】本考案のさらに別の実施形態による携帯ストラップ用アクセサリを示す正面図
【図１０】図９の携帯ストラップ用アクセサリを示す側面図
【図１１】本考案のさらに別の実施形態による携帯ストラップ用アクセサリを示す正面図
【図１２】図１１の携帯ストラップ用アクセサリを示す側面図
【図１３】本考案のさらに別の実施形態による携帯ストラップ用アクセサリを示す斜視図
【図１４】本考案のさらに別の実施形態による携帯ストラップ用アクセサリを示す斜視図
【図１５】本考案のさらに別の実施形態による携帯ストラップ用アクセサリを示す斜視図
【図１６】本考案のさらに別の実施形態による携帯ストラップ用アクセサリを示す斜視図
【図１７】本考案のさらに別の実施形態による携帯ストラップ用アクセサリを示す斜視図
【図１８】本考案のさらに別の実施形態による携帯ストラップ用アクセサリを示す斜視図
【図１９】本考案のさらに別の実施形態による携帯ストラップ用アクセサリを示す斜視図
【図２０】本考案のさらに別の実施形態による携帯ストラップ用アクセサリを示す斜視図
【図２１】本考案のさらに別の実施形態による携帯ストラップ用アクセサリを示す斜視図
【図２２】本考案のさらに別の実施形態による携帯ストラップ用アクセサリを示す斜視図
【図２３】本考案のさらに別の実施形態による携帯ストラップ用アクセサリを示す斜視図
【図２４】従来の携帯用機器における端子カバーの一例を示す斜視図
【図２５】従来の携帯用機器における端子カバーの別の例を示す斜視図
【図２６】本考案のさらに別の実施形態による携帯ストラップ用アクセサリを示す正面図
【図２７】図２６の携帯ストラップ用アクセサリの側面図
【図２８】本考案のさらに別の実施形態による携帯ストラップ用アクセサリを示す正面図
【図２９】本考案のさらに別の実施形態による携帯ストラップ用アクセサリを示す斜視図
【図３０】本考案のさらに別の実施形態による携帯ストラップ用アクセサリを示す斜視図
【図３１】本考案のさらに別の実施形態による携帯ストラップ用アクセサリを示す斜視図
【図３２】本考案のさらに別の実施形態による携帯ストラップ用アクセサリを示す斜視図
【図３３】本考案のさらに別の実施形態による携帯ストラップ用アクセサリを示す斜視図
【考案を実施するための形態】
【００２３】
以下、図面を参照して本考案の実施形態を詳細に説明する。図１は本考案の一実施形態による携帯ストラップ用アクセサリ１０を示すものである。この携帯ストラップ用アクセサリ（以下、単にアクセサリと称する）１０は、概略長方形状の板状部材１１と、この板状部材１１の一隅部に固定された弧状のストラップ取付部１２と、板状部材１１の大部分においてその表裏両面に接着されたクリーナ１３（図では表面側のものだけ表示）とから構成されたものである。
【００２４】
本実施形態のアクセサリ１０が取り付けられる携帯型機器は、一例として携帯電話機２０である。この携帯電話機２０は各種操作を行うための押しボタン類２１と、液晶表示パネル等からなる表示画面２２と、孔が設けられたストラップ取付け部２３とを有し、またその側面には、先に述べたような端子カバー２４を有している。
【００２５】
端子カバー２４は充電用コネクタが差し込まれる図示外の端子を覆うもので、基本的に前述の図２４に示した端子カバー２と同様の構造を有するものとされている。すなわちこの端子カバー２４は、その一端２４ａ側が携帯電話機２０の本体にヒンジ機構を介して保持され、またその他端２４ｂには図２の切り込み２ａと同様の切り込み（図示せず）が形成されてなるものである。このような端子カバー２４は、上記端子カバー２と同じように、他端２４ｂに指の爪等を掛けて引き起こす開操作をすることにより、常時は覆い隠して保護している充電用端子を露出させる開状態となる。
【００２６】
また上記板状部材１１は、例えば縦、横の長さが２０ｍｍ×１５ｍｍ程度で、厚さが１ｍｍ程度の薄いプラスチック板から形成されており、丸く面取りされた４つの隅部のうち、上記ストラップ取付部１２が固定されている隅部以外の３つの隅部は、それぞれ爪状部分１１ａとされている。ストラップ取付部１２は例えば金属製の環状部材等から形成されたもので、その一部を板状部材１１の内部に埋め込む、あるいは板状部材１１と接着する等により、該板状部材１１に固定されている。なお、板状部材１１を孔開け加工することにより、ストラップ取付部１２と同様の形状のストラップ取付部を形成してもよい。
【００２７】
クリーナ１３は、携帯電話機２０の表示画面２２を拭いて、そこに付着しているゴミや汚れ、皮脂類等を除去するためのもので、繊維布や不織布等から形成されている。このクリーナ１３は、その裏面を接着することにより、板状部材１１と一体化されている。なおこの種のクリーナについては、例えば特開２００６−０２５９７７号公報や、特開２００５−１５１５１５号公報に詳しい記載がなされている。
【００２８】
上記構成を有するアクセサリ１０は、そのストラップ取付部１２に細いひも状のストラップ１４を結び、そしてこのストラップ１４を携帯電話機２０のストラップ取付け部２３に結ぶことにより、該携帯電話機２０に取り付けられる。
【００２９】
こうして携帯電話機２０に本考案によるアクセサリ１０が取り付けられていれば、例えば充電操作等のために端子カバー２４を開く必要が生じた際には、板状部材１１の爪状部分１１ａのいずれかを端子カバー２４の前記他端２４ｂに掛け、そこを引き起こすことにより、端子カバー２４を開操作することができる。このようにアクセサリ１０を用いて端子カバー２４を開操作するのであれば、前述の付け爪をしているような人や、爪を切り過ぎたような人でも、簡単に端子カバー２４を開くことが可能になる。
【００３０】
またこのアクセサリ１０は、ストラップ１４を介して常時携帯電話機２０と一緒にしておけるから、どこかに置き忘れられるようなことがなく、したがって、いつでも該アクセサリ１０を用いて簡単に端子カバー２４を開操作できるようになる。
【００３１】
さらに、本実施形態のアクセサリ１０においては、板状部材１１の両表面にクリーナ１３が固定されているので、携帯電話機２０の表示画面２２がゴミや汚れ、皮脂類等が付着して汚れた際には、このクリーナ１３を用いて拭くことにより、その表示画面２２を綺麗にすることができる。
【００３２】
このように本実施形態のアクセサリ１０は、端子カバー２４の開操作と、表示画面２２のクリーニングという２つの機能を発揮する極めて便利なものとなる。このようなアクセサリ１０は、クリーナのみからなるものと比べると、クリーナ１３と板状部材１１とを接着する工程を加えるだけで比較的簡単に作製することができる。したがってこのアクセサリ１０は、多機能の割には比較的安いコストで作製可能となる。
【００３３】
なおアクセサリ１０が取り付けられるストラップ１４は、図１に示したように直接携帯電話機２０に取り付ける他、図２に示すように携帯電話機２０に結合された別のストラップ２５に結合させることにより、間接的に携帯電話機２０に取り付けるようにしてもよい。
【００３４】
次に図３を参照して、本考案の別の実施形態について説明する。なおこの図３において、図１および図２中の要素と同等の要素には同番号を付してあり、それらについての説明は特に必要が無い限り省略する（以下、同様）。また以下の各図においては、特に必要が無い限りストラップを省いてアクセサリのみを示すが、それらのアクセサリは、図１やあるいは図２に示したようにして携帯電話機等の携帯型機器に取り付ければよい。
【００３５】
図３に示すアクセサリ２０は、図１のアクセサリ１０と比べると、クリーナ１３の形状が異なるものである。すなわち、本実施形態においてクリーナ１３は概略八角形とされ、クリーナ１３によって覆われていない板状部材１１の隅部のうち、３つの隅部が端子カバーを開操作するための爪状部分１１ａとされている。残りの１つの隅部には貫通孔１１ｂが形成され、ここに図示外のストラップが挿通、結合されるようになっている。
【００３６】
図４に示すアクセサリ３０は、図１のアクセサリ１０と比べると、クリーナ１３に代えてルーペ３１が形成されている点が異なるものである。このルーペ３１は、透明プラスチック等の透明材料を用いて板状部材１１と一体成形された、凸レンズ状のものである。そこで、このルーペ３１を用いて、細かい字などを拡大して観察することができる。このように本実施形態のアクセサリ３０は、端子カバーを開操作する機能に加えて、ルーペとしての機能を備えた多機能のものとなっている。
【００３７】
なお、ルーペ３１と板状部材１１とを上述のように同じ材料から一体的に成形する他、板状部材１１の一部に貫通孔を形成しておき、別に形成したルーペ３１をその貫通孔が形成されている部分に接着、嵌合等によって固定するようにしてもよい。
【００３８】
図５に示す実施形態のアクセサリ４０は、画像ホルダーとして形成されたものである。この画像ホルダーは一般に「ハメパチ」と称されているもので、例えば有底かつ無蓋の浅い円筒状に成形された本体４１と、その中にシート状媒体に記録された写真等の画像４２が収納された後、その上から本体４１に嵌合される透明蓋４３とから構成されている。そして本体４１の一部には、薄い板状部材からなり、端子カバーを開操作するために用いられる爪状部分４１ａが形成されている。なおこの爪状部分４１ａは、本体４１と一体成形されてもよいし、あるいは本体４１とは別体のものを接着等により固定して形成してもよい。
【００３９】
なお図６に裏面形状を示すように、上記本体４１の裏面には鏡４４が形成されている。この鏡４４は、本体４１の裏面に蒸着等により金属材料をコーティングして形成してもよいし、あるいは本体４１と別体に形成したものを接着等により固定して形成してもよい。
【００４０】
本実施形態のアクセサリ４０は、上記爪状部分４１ａによって端子カバーを開操作する機能および、写真等の画像をディスプレイする機能を備えた上でさらに、化粧等のために利用される鏡として機能するものとなっている。
【００４１】
図７に示す実施形態のアクセサリ５０は、小型の照明器具として形成されたものである。すなわちこのアクセサリ５０は、図示外の乾電池や回路類を収納したケース５１と、このケース５１の１つの隅部に形成された凹部５１ｂに取り付けられた電球５２と、ケース５１の一側面に取り付けられたスイッチ５３等から構成されている。ケース５１には、ストラップを取り付けるためのストラップ取付部５１ｃおよび、端子カバーを開操作するための爪状部分５１ａが設けられている。この爪状部分５１ａは、上記凹部５１ｂの底部を構成する薄い板状部材からなるものであり、ケース５１と一体成形して、あるいは別体のものを接着、超音波溶着等により接合して形成されている。
【００４２】
本実施形態のアクセサリ５０は、上記爪状部分５１ａによって端子カバーを開操作する機能および、照明器具としての機能を有するものとなっている。
【００４３】
図８に示す実施形態のアクセサリ６０は、装飾品として形成されたものである。すなわちこのアクセサリ６０は基本的に、例えば共にプラスチックシートからなる表面６２および裏面６３の二重構造体および、この二重構造体とストラップ１４との間に介在するプラスチック等からなるスプリング部６４から構成されている。このスプリング部４４は、該アクセサリ６０が吊り下げられたような場合に、二重構造体の部分が揺れ動く効果を与える。
【００４４】
上記表面６２には、いわゆるキャラクター物などの画像が印刷等により形成されている。そしてこの表面６２と裏面６３との間には、例えば概略四辺形とされた薄い板状部材６１が挿入され、接着等により固定されている。この板状部材６１は、１つの隅部が表面６２および裏面６３の間から外に突出するように配設され、この１つの隅部が端子カバーを開操作するための爪状部分６１ａとされている。
【００４５】
本実施形態のアクセサリ６０は、上記爪状部分６１ａによって端子カバーを開操作する機能および、装飾品としての機能を有するものとなっている。なお上記裏面６３に、図１に示したクリーナ１３と同様のクリーナを形成して、該アクセサリ６０にさらにクリーナ機能を付加することもできる。
【００４６】
図９および図１０に各々正面図、側面図を示す実施形態のアクセサリ７０も、装飾品として形成されたものである。すなわちこの装飾品は基本的に、概ね球形に形成されたマスコット体７２と、このマスコット体７２の下部に固定された板状部材７１とから構成されたものであり、この板状部材７１の下端部が端子カバーを開操作するための爪状部分７１ａとされている。
【００４７】
図１１および図１２に各々正面図、側面図を示す実施形態のアクセサリ８０は、いわゆるフォンフックとして形成されたものである。すなわちこのアクセサリ８０は、例えばプラスチックあるいは鋼材等から形成されたフック８２と、このフック８２の一端部（フック状とされた端部）に固定されたハート形の板状部材８１とから構成されたもので、この板状部材８１の下端部が端子カバーを開操作するための爪状部分８１ａとされている。
【００４８】
フック８２の他端部は環状に曲げられて閉じた形とされているが、弾性変形して開き、そこにストラップ２５（図２参照）を通すことが可能となっている。このようにしてストラップ２５を介して携帯電話機と連結されたアクセサリ８０、上記フック８２の部分を例えばバッグの端部８３等に掛けておくことにより、携帯電話機を吊り下げて保持しておくことができる。このように本実施形態のアクセサリ８０は、上記爪状部分８１ａによって端子カバーを開操作する機能および、フォンフックとしての機能を有するものとなっている。
【００４９】
図１３に示す実施形態のアクセサリ９０は、携帯電話機を充電する携帯型充電器として形成されたものである。すなわちこのアクセサリ９０は、充電器本体９２に板状部材９１が一体化されてなるものである。この板状部材９１には、爪状部分９１ａおよび、ストラップを取り付けるための貫通孔９１ｂが設けられている。なお充電器本体９２としては、乾電池式、蓄電池式、ソーラー式、電源コンセント接続式のもの等、従来公知となっているあらゆるものを適用することができる。
【００５０】
本実施形態のアクセサリ９０は、上記爪状部分９１ａによって端子カバーを開操作する機能および、充電器としての機能を有するものとなっている。
【００５１】
図１４に示す実施形態のアクセサリ１００は、ＵＳＢメモリーとして形成されたものである。すなわちこのアクセサリ１００は、内部にＵＳＢメモリーを収納した筐体１０２に板状部材１０１が一体化されてなるものである。この板状部材１０１には、爪状部分１０１ａおよび、ストラップを取り付けるための貫通孔１０１ｂが設けられている。
【００５２】
本実施形態のアクセサリ１００は、上記爪状部分１０１ａによって端子カバーを開操作する機能および、メモリー（電磁記録媒体）としての機能を有するものとなっている。
【００５３】
図１５に示す実施形態のアクセサリ１１０は、メモリーカードケースとして形成されたものである。すなわちこのアクセサリ１１０は、メモリーカード１１４を収納する凹部１１２ａを有するケース本体１１２と、このケース本体１１２にヒンジを介して保持されて上記凹部１１２ａの形成面を開閉する蓋体１１３と、ストラップを取り付けるためにケース本体１１２に固定されたストラップ取付部１２とからなるものである。なおメモリーカード１１４は、例えばＳＤメモリーカード（登録商標）等のカード型電磁記録媒体である。そして上記本体１１２には、爪状部分１１１ａを有する板状部材１１１が一体化されている。
【００５４】
本実施形態のアクセサリ１１０は、上記爪状部分１１１ａによって端子カバーを開操作する機能および、メモリーカードを収納、保管する機能を有するものとなっている。
【００５５】
以上説明した各実施形態のアクセサリは、端子カバーを開操作する機能以外の機能を持つ他のアクセサリと一体化されたものであるが、本考案のアクセサリは、端子カバーを開操作する機能のみを備えたものとして形成することも勿論可能である。以下、そのように形成された実施形態について説明する。
【００５６】
図１６に示す実施形態のアクセサリ１２０は、基本的に一枚の薄い板状部材１２１から構成されている。この板状部材１２１は例えば厚さ１ｍｍ程度のプラスチック板からなるもので、ここでは概略いわゆるハート型に形成されている。そしてこの板状部材１２１の１つの隅部が、端子カバーを開操作するための爪状部分１２１ａとされている。
【００５７】
なお板状部材１２１の表面には、例えば反射部材等からなる装飾１２２が施されている。またこの板状部材１２１には、ストラップを保持するための金具１２３が取り付けられている。この金具１２３は弧状部１２３ａと、図示外のばねにより付勢されて常時は弧状部１２３ａの先端側を閉じる止め金１２３ｂと、手動操作されてこの止め金１２３ｂを弧状部１２３ａの先端から離間させる操作部１２３ｃとから構成されたものである。この金具１２３において、上記操作部１２３ｃを指で操作して止め金１２３ｂを弧状部１２３ａの先端から離間させ、その状態でストラップ端部の円環状部分（図示せず）等を弧状部１２３ａに通した後、操作部１２３ｃから指を離せば、上記円環状部分等が金具１２３と連結される。
【００５８】
図１７に示す実施形態のアクセサリ１３０も、基本的に一枚の薄い板状部材１３１から構成されている。この板状部材１３１は例えば厚さ１ｍｍ程度のプラスチック板からなるもので、ここでは概略いわゆる花型に形成されている。そしてこの板状部材１３１の４つの隅部が、端子カバーを開操作するための爪状部分１３１ａとされている。板状部材１３１の１つの隅部には、ストラップを連結するための取付孔１３１ｂが形成されている。なお板状部材１３１の表面には、例えば反射部材等からなる装飾１３２が施されている。
【００５９】
このアクセサリ１３０は、勿論単独でストラップを介して携帯電話機等に取り付けることができるが、別の機能を持つ他のアクセサリと接着等により一体化して用いることも可能である。
【００６０】
図１８に示す実施形態のアクセサリ１４０も、基本的に一枚の薄い板状部材１４１から構成されている。この板状部材１４１は例えば厚さ１ｍｍ程度のプラスチック板からなるもので、ここでは概略長方形状に形成されている。そしてこの板状部材１４１の４つの隅部が、端子カバーを開操作するための爪状部分１４１ａとされている。また板状部材１４１には、ストラップを連結するための取付孔１４１ｂが形成されている。
【００６１】
このアクセサリ１４０は、勿論単独でストラップを介して携帯電話機等に取り付けることができるが、別の機能を持つ他のアクセサリと接着等により一体化して用いることも可能である。
【００６２】
なお本考案のアクセサリの中で、特に上記アクセサリ１４０のように基本的に一枚の板状部材のみから形成されるアクセサリにおいては、その板状部材が、蓄光素材や、あるいは紫外線チェック素材から形成されることが望ましい。板状部材が蓄光素材からなるアクセサリは、端子カバーを開操作する手段として機能する他に、暗い場所では燐光を発して自身の存在を知らせる効果を発現するものとなる。他方、板状部材が紫外線チェック素材から形成されたアクセサリは、端子カバーを開操作する手段として機能する他に、紫外線強度を簡易的に検査する機能も備えたものとなる。
【００６３】
図１９に示す実施形態のアクセサリ１５０も、基本的に一枚の薄い板状部材１５１から構成されたものであり、この板状部材１５１には端子カバーを開操作するための爪状部分１５１ａが形成されている。そしてこの板状部材１５１は、爪状部分１５１ａは外に露出させた上で、その大部分を収納する袋状のソフトケース１５２内に収められている。なおソフトケース１５２には、例えばラインストーン（登録商標）等からなる各種装飾が施されてもよい。
【００６４】
図２０に示す実施形態のアクセサリ１６０も、一枚の薄い板状部材１６１を有するものであり、この板状部材１６１の４つの隅部は、端子カバーを開操作するための爪状部分１６１ａとされている。またこのアクセサリ１６０には、各種装飾が施された別の板状部材１６２が例えば接着により固定されており、それによって美的価値が高められている。
【００６５】
図２１に示す実施形態のアクセサリ１７０は、他のアクセサリに固着して用いるのに適したものである。すなわちこのアクセサリ１７０は、一枚の薄い板状部材１７１から構成されたものであり、この板状部材１７１の一端部は概略三角形状に加工されて、端子カバーを開操作するための爪状部分１７１ａとされている。
【００６６】
なお、上記爪状部分１７１ａの先端部は折り曲げられている。爪状部分１７１ａの先端部をこのような形状としておけば、該先端部を端子カバーと携帯型機器本体との間の間隙に挿入し易くなるので、良好な操作性が得られるようになる。
【００６７】
図２２に示す実施形態のアクセサリ１８０も、他のアクセサリに固着して用いるのに適したものである。すなわちこのアクセサリ１８０も、一枚の薄い板状部材１８１から構成されたものであり、この板状部材１８１の一端部は概略三角形状に加工されて、端子カバーを開操作するための爪状部分１８１ａとされている。
【００６８】
なお、上記爪状部分１８１ａには切欠き１８１ｂが形成されている。爪状部分１８１ａをこのような形状としておけば、該先端部を端子カバーと携帯型機器本体との間の間隙に挿入する際に、端子カバーと爪状部分１８１ａとの相対位置関係を切欠き１８１ｂを通して視認することもできるので、良好な操作性が得られるようになる。
【００６９】
図２３に示す実施形態のアクセサリ１９０は、基本的に一枚の薄い板状部材１９１から構成されている。この板状部材１９１は例えば厚さ１ｍｍ程度のプラスチック板からなるもので、ここでは概略長方形状に形成されている。そしてこの板状部材１９１の４つの隅部が、端子カバーを開操作するための爪状部分１９１ａとされている。また板状部材１９１には、ストラップを連結するための取付孔１９１ｂが形成されている。
【００７０】
そして上記４つの隅部の中の１つにおいては、対角線に略直交する方向に延びる細長い突起状のストッパ１９１ｃが形成されている。このストッパ１９１ｃは、板状部材１９１を成形する際に一体的に成形したり、あるいは、別に形成したものを板状部材１９１に固着したりすることによって設けることができる。
【００７１】
上述のようなストッパ１９１ｃが形成されていると、このストッパ１９１ｃの外側に有る爪状部分１９１ａを端子カバーと携帯型機器本体との間の間隙に挿入する際に、その間隙に爪状部分１９１ａを深く差し込み過ぎることが防止される。したがってこのアクセサリ１９０によれば、そのように爪状部分１９１ａを深く差し込み過ぎて、端子カバーの開操作がし難くなることを防止できる。
【００７２】
図２６に示す実施形態のアクセサリ２００も、基本的に一枚の薄い板状部材２０１から構成されている。この板状部材２０１は例えば厚さ１ｍｍ程度のプラスチック板からなるもので、ここでは概略五角形状に形成されている。つまりこの板状部材２０１の下部が互いに鈍角をなす２辺から構成され、この隅部が、端子カバーを開操作するための爪状部分２０１ａとされている。また板状部材２０１には、ストラップを連結するための取付孔２０１ｂが形成されている。
【００７３】
図２７は上記爪状部分２０１ａの側面形状を示すものであるが、ここに示される通りこの爪状部分２０１ａは、側面形状も先細りの形状（ただし先端は危険防止のために、丸みを帯びている）とされている。このような形状とすることにより、爪状部分２０１ａを端子カバーと携帯型機器本体との間の間隙に、より簡単に挿入できるようになる。
【００７４】
なお本実施形態においては、板状部材２０１の片側の表面にデコレーション２０２が施されて、アクセサリとしての装飾性が高められている。また、このようなデコレーション２０２に代えて、図２８に示す実施形態のアクセサリ２００′のように、例えばいわゆるキャラクター物等の印刷がなされたシール２０３を貼り付けるようにしてもよい。
【００７５】
上に述べたデコレーション２０２、シール２０３、前述したラインストーン（登録商標）、スワロフスキー（登録商標）、さらには後述する図２９の実施形態における装飾アクセサリ２１３等の装飾は、図２６〜２８に示したアクセサリ２００や２００′のみならず、本考案による携帯ストラップ用アクセサリの全てにおいて適用できるものである。また、それらを施す対象も板状部材に限られるものではなく、板状部材を収めるカバーやホルダー類に施されてもよい。
【００７６】
さらに、それらの装飾、特に上記デコレーション２０２等は、本考案の携帯ストラップ用アクセサリに付属させた形態で販売して、購入者が自由にデザインして板状部材等に取付け可能としておいてもよい。また、そのような装飾の他の例として、板状部材に印字される文字類も挙げられる。その種の文字類としては、例えばアクセサリ購入者の名前、アクセサリを贈る相手の名前、団体の名称、広告文章、各種メッセージ等が挙げられる。そのような文字類は、いわゆる刻印サービス等の形態で記入するようにしてもよい。
【００７７】
次に図２９に示す実施形態のアクセサリ２１０は、薄い板状部材２１１を、一端面（図中の下端面）が開いた薄い箱状のホルダー２１２内に収容してなるものである。板状部材２１１は、図１８に示した板状部材１４１等と同様に概略長方形状に形成されている。そしてこの板状部材２１１の２つの隅部が、端子カバーを開操作するための爪状部分２１１ａとされている。
【００７８】
上記板状部材２１１のホルダー２１２内に入る領域の一部には、図示外の丸い係合孔が形成されている。一方、ホルダー２１２の内壁には、図示外の係合突起が形成されている。そして、板状部材２１１をホルダー２１２内に押し込んだとき、板状部材２１１が弾性変形しつつ、その係合孔に上記係合突起が係合して、板状部材２１１がホルダー２１２内に保持されるようになっている。また、その状態からある程度強い力で板状部材２１１を図中下方に引けば、上記係合突起と係合孔との係合が外れて、板状部材２１１が取り外されるようになっている。
【００７９】
上記ホルダー２１２の一表面あるいは両表面には、装飾アクセサリ２１３が取り付けられている。なお、この装飾アクセサリ２１３に代えて他の装飾類が施されてもよいことは、先に述べた通りである。また、このホルダー２１２や板状部材２１１として、装飾類や色等が互いに異なる複数種類のものを販売して、使用者がそれら両者の組合せを好みに応じて適宜変更可能としておくことが好ましい。以上の点は、次に説明する図３０の実施形態についても同様である。
【００８０】
図３０に示す実施形態のアクセサリ２２０は、概略正方形状の薄い板状部材２２１を、八角形のホルダー２２２内に収容してなるものである。ここでは、板状部材２２１の４つの隅部が、端子カバーを開操作するための爪状部分２２１ａとされている。一方ホルダー２２２には、断面Ｌ字形で弾性変形可能な４つの保持部２２３が形成され、これらの保持部２２３に各々板状部材２２１の一辺を把持させることにより、板状部材２２１がホルダー２２２に保持されるようになっている。
【００８１】
図３１に示す実施形態のアクセサリ２３０は、携帯電話落下防止クリップ２３２に小さな板状部材２３１が一体化されてなるものである。携帯電話落下防止クリップ２３２は、比較的長いストラップ１４を介して携帯電話機等に連結され、例えば衣服のポケットやバッグの端部等を挟んでそこに留められる。こうすることにより、例えば携帯電話機等が使用中に落下してしまうことを防止できる。そしてこの実施形態においても、上記板状部材２３１の隅部が、端子カバーを開操作するための爪状部分２３１ａとされている。
【００８２】
図３２に示す実施形態のアクセサリ２４０は、フレグランス携帯ストラップとして構成されたものである。すなわちこのアクセサリ２４０は、例えば雄ネジ部、雌ネジ部を介して互いに組み合わせ、分離可能とされた中空の２つ割りのフレグランス（香水類）収容容器２４２を有しており、その中に例えばコットン等に浸み込ませた状態でフレグランスが収容される。そこでこのアクセサリ２４０の使用者は、フレグランスの芳香を楽しむことができる。
【００８３】
上記フレグランス収容容器２４２は例えばアルミニウム等の金属やプラスチックから形成され、２つ割りの一方には、それと一体的に板状部材２４１が形成されている。そしてこの板状部材２４１の隅部が、端子カバーを開操作するための爪状部分２４１ａとされている。なお、図中の１４は携帯電話機等に連結するためのストラップであり、２４３は携帯電話機等の使用者が把持するためのストラップである。
【００８４】
次に図３３に示す実施形態のアクセサリ２５０は、ステレオ変換アダプタとして形成されたものである。すなわちこのアクセサリ２５０は、ステレオ変換アダプタ本体２５２に板状部材２５１が一体化されてなるものである。アダプタ本体２５２は、携帯電話機等に設けられている平型端子に挿し込む平型プラグ２５３並びに、例えば直径３．５ｍｍのステレオミニジャックが挿し込まれるイヤホン端子２５４等を備えてなるものであって、携帯電話機等の音声を、その種のジャックを有するイヤホン等を用いて聴くことを可能にする。
【００８５】
そして本実施形態においても、上記板状部材２５１の１つの隅部が、端子カバーを開操作するための爪状部分２５１ａとされている。
【符号の説明】
【００８６】
１０、２０、３０、４０、５０、６０、７０、８０、９０、１００、１１０、
１２０、１３０、１４０、１５０、１６０、１７０、１８０、１９０、２００、
２００′、２１０、２２０、２３０、２４０、２５０    アクセサリ
１１、４１、６１、７１、８１、９１、１０１、１１１、１２１、
１３１、１４１、１５１、１６１、１７１、１８１、１９１、２０１、
２１１、２２１、２３１、２４１、２５１    板状部材
１１ａ、４１ａ、５１ａ、６１ａ、７１ａ、８１ａ、９１ａ、
１０１ａ、１１１ａ、１２１ａ、１３１ａ、１４１ａ、１５１ａ、
１６１ａ、１７１ａ、１８１ａ、１９１ａ、２０１ａ、２１１ａ、
２２１ａ、２３１ａ、２４１ａ、２５１ａ    爪状部分
１３    クリーナ
１４、２５、２４３    ストラップ
２４    端子カバー
２４ｂ    端子カバーの他端
３１    ルーペ
４１    アクセサリの本体
４３    アクセサリの透明蓋
５１    ケース
６２    アクセサリの表面
６３    アクセサリの裏面
７２    マスコット体
８２    フック
９２    充電器本体
１０２    ＵＳＢメモリーの筐体
１１２    メモリーカードケースの本体
１１３    メモリーカードケースの蓋体
１９１ｃ    ストッパ
２０２    デコレーション
２０３    シール
２１２、２２２    ホルダー
２１３    装飾アクセサリ
２３２    落下防止クリップ
２４２    フレグランス収容容器
２５２    ステレオ変換アダプタ本体
【図１】
0003161639.tif 000003
【図２】
0003161639.tif 000004
【図３】
0003161639.tif 000005
【図４】
0003161639.tif 000006
【図５】
0003161639.tif 000007
【図６】
0003161639.tif 000008
【図７】
0003161639.tif 000009
【図８】
0003161639.tif 000010
【図９】
0003161639.tif 000011
【図１０】
0003161639.tif 000012
【図１１】
0003161639.tif 000013
【図１２】
0003161639.tif 000014
【図１３】
0003161639.tif 000015
【図１４】
0003161639.tif 000016
【図１５】
0003161639.tif 000017
【図１６】
0003161639.tif 000018
【図１７】
0003161639.tif 000019
【図１８】
0003161639.tif 000020
【図１９】
0003161639.tif 000021
【図２０】
0003161639.tif 000022
【図２１】
0003161639.tif 000023
【図２２】
0003161639.tif 000024
【図２３】
0003161639.tif 000025
【図２４】
0003161639.tif 000026
【図２５】
0003161639.tif 000027
【図２６】
0003161639.tif 000028
【図２７】
0003161639.tif 000029
【図２８】
0003161639.tif 000030
【図２９】
0003161639.tif 000031
【図３０】
0003161639.tif 000032
【図３１】
0003161639.tif 000033
【図３２】
0003161639.tif 000034
【図３３】
0003161639.tif 000035